(57)【要約】  移動デバイス用のアクセサリ。諸実施形態は、移動電子デバイス用の外部保護ケースおよび／またはホルスタを含み、この外部保護ケースおよび／またはホルスタは、バッテリパック、支払い処理デバイス、テレビ信号受信機、および／またはモジュール型マルチ入出力デバイスを組み込んでいる。
2013530628.tif 000002
【特許請求の範囲】
【請求項１】
移動通信デバイスの外形(outer shape)に少なくとも部分的に一致する(conforms)空洞(cavity)を画定する(defines)ケーシング(casing)を形成するように、互いに機械的に結合された(coupled)複数のモジュールと、
第１の入力、出力、および処理タスクのうちの少なくとも１つを実施する(perform)ように適合された、前記複数のモジュールからの第１のモジュールと、
第２の入力、出力、および処理タスクのうちの少なくとも１つを実施するように適合された、前記複数のモジュールからの第２のモジュールと
を備えるモジュール型モバイルアクセサリ(accessory)。
【請求項２】
第３の入力、出力、および処理タスクを実施するように適合された、前記複数のモジュールからの第３のモジュールをさらに備える、請求項１に記載のモジュール型モバイルアクセサリ。
【請求項３】
前記第１のモジュールと前記第２のモジュールが、前記第１のモジュールと前記第２のモジュールとの間でデータおよび電力のうちの少なくとも１つを転送するように、互いに通信可能に結合される、請求項１に記載のモジュール型モバイルアクセサリ。
【請求項４】
前記複数のモジュールの少なくとも１つが前記移動デバイスに通信可能に結合され、前記複数のモジュールが互いに通信可能に結合され、それにより前記移動デバイスと前記モジュールのそれぞれとの間で通信を可能にする、請求項１に記載のモジュール型モバイルアクセサリ。
【請求項５】
前記複数のモジュールが、無線通信インターフェースによって前記移動デバイスに通信可能に結合される、請求項１に記載のモジュール型モバイルアクセサリ。
【請求項６】
前記複数のモバイルアクセサリモジュールが、誘導(induction)によって互いに通信可能に結合される、請求項１に記載のモジュール型モバイルアクセサリ。
【請求項７】
前記複数のモバイルアクセサリモジュールが、電気通信インターフェースによって互いに通信可能に結合される、請求項１に記載のモジュール型モバイルアクセサリ。
【請求項８】
前記第１のモジュールが、バッテリパック、磁気帯(magnetic strip)支払い処理アクセサリ、スマートカード支払い処理アクセサリ、プログラム可能なスマートカードモバイルアクセサリ、テレビ信号受信機アクセサリ、ＴＶ受信機アクセサリ、バーコードリーダモバイルアクセサリ、指紋リーダモバイルアクセサリ、および医療処理ユニットのうちの少なくとも１つとして動作するように適合される、請求項１に記載のモジュール型モバイルアクセサリ。
【請求項９】
前記第１のモジュールがバッテリパックとして動作するように適合され、一方、前記第２のモジュールが、磁気帯支払い処理アクセサリ、スマートカード支払い処理アクセサリ、プログラム可能なスマートカードモバイルアクセサリ、ＴＶ受信機アクセサリ、バーコードリーダモバイルアクセサリ、指紋リーダモバイルアクセサリ、および医療処理ユニットのうちの少なくとも１つとして動作するように適合される、請求項１に記載のモジュール型モバイルアクセサリ。
【請求項１０】
前記第１のモジュールが、第３の入力、出力、および処理タスクのうちの少なくとも１つを実施するように適合された第３のモジュールと相互交換可能であり、前記第３のモジュールと第２のモジュールが、前記移動通信デバイスの外形に少なくとも部分的に一致する前記空洞を画定する前記ケーシングを形成するように、互いに機械的に結合される、請求項１に記載のモジュール型モバイルアクセサリ。
【請求項１１】
前記第１のモジュールが、前記第２のモジュールに電力を伝達する、請求項１に記載のモジュール型モバイルアクセサリ。
【請求項１２】
移動デバイスに結合するように構成されたモジュール型モバイルアクセサリであって、
前記移動デバイスに機械的かつ電気的に結合されるように構成された第１のモジュールであり、
第１のデータセットを受信するように構成された第１の外部インターフェース、
前記受信された第１のデータセットを操作(manipulate)して処理済み(processed)データにするように構成された第１のプロセッサ、および
前記処理済みデータを前記移動デバイスに通信するように構成された第１の内部インターフェースをさらに備える、第１のモジュールと、
前記移動デバイスの外形に少なくとも部分的に一致する空洞を画定するケーシングを形成するように、前記第１のモジュールに機械的かつ電気的に結合されるように構成された第２のモジュールであり、
第２のデータセットを受信するように構成された第２の外部インターフェース、および
前記第２のデータセットを前記第１の外部インターフェースと通信するように構成された第２の内部インターフェースをさらに備える、第２のモジュールと
を備えるモジュール型モバイルアクセサリ。
【請求項１３】
前記第１のモジュールと前記第２のモジュールが、前記第１のモジュールと前記第２のモジュールとの間で電力を転送するように、互いに通信可能に結合される、請求項１２に記載のモジュール型モバイルアクセサリ。
【請求項１４】
前記第１のモジュールまたは前記第２のモジュールが、無線通信インターフェースを介して前記移動デバイスと通信する、請求項１２に記載のモジュール型モバイルアクセサリ。
【請求項１５】
前記第１のモジュールと前記第２のモジュールが、誘導を介して互いに通信する、請求項１２に記載のモジュール型モバイルアクセサリ。
【請求項１６】
前記第１のモジュールが、バッテリパック、磁気帯支払い処理アクセサリ、スマートカード支払い処理アクセサリ、プログラム可能なスマートカードモバイルアクセサリ、テレビ信号受信機アクセサリ、ＴＶ受信機アクセサリ、バーコードリーダモバイルアクセサリ、指紋リーダモバイルアクセサリ、および医療処理ユニットのうちの少なくとも１つとして動作するように適合される、請求項１２に記載のモジュール型モバイルアクセサリ。
【請求項１７】
前記第１のモジュールがバッテリパックとして動作するように適合され、一方、前記第２のモジュールが、磁気帯支払い処理アクセサリ、スマートカード支払い処理アクセサリ、プログラム可能なスマートカードモバイルアクセサリ、ＴＶ受信機アクセサリ、バーコードリーダモバイルアクセサリ、指紋リーダモバイルアクセサリ、および医療処理ユニットのうちの少なくとも１つとして動作するように適合される、請求項１２に記載のモジュール型モバイルアクセサリ。
【請求項１８】
前記第１のモジュールまたは前記第２のモジュールに機械的かつ電気的に結合されるように構成された第３のモジュールをさらに備え、前記第３のモジュールが、
第３のデータセットを受信するように構成された第３の外部インターフェース、および
前記第３のデータセットを前記第１の外部インターフェースまたは前記第２の外部インターフェースと通信するように構成された第３の内部インターフェースをさらに備える、請求項１に記載のモジュール型モバイルアクセサリ。
【請求項１９】
前記第１のモジュールが、前記第３のモジュールと相互交換可能であり、前記第３のモジュールと第２のモジュールが、前記移動通信デバイスの外形に少なくとも部分的に一致する前記空洞を画定する前記ケーシングを形成するように、互いに機械的に結合される、請求項１８に記載のモジュール型モバイルアクセサリ。
【請求項２０】
前記第１のモジュールが、前記第２のモジュールに電力を伝達する、請求項１２に記載のモジュール型モバイルアクセサリ。
【発明の詳細な説明】
【技術分野】
【０００１】
[0001]諸態様は、移動デバイス用のアクセサリに関する。より詳細には、諸実施形態は、移動電子デバイス用の外部保護ケースおよび／またはホルスタを含み、この外部保護ケースおよび／またはホルスタは、バッテリパック、支払い処理デバイス、テレビ信号受信機、および／またはモジュール型マルチ入出力デバイスを組み込んでいる。
【背景技術】
【０００２】
[0002]本願は、２０１０年５月１９日に出願された「Ｅｘｔｅｒｎａｌ  Ｃａｓｅ  Ａｃｃｅｓｓｏｒｙ  ｆｏｒ  Ｍｏｂｉｌｅ  Ｄｅｖｉｃｅｓ  Ｉｎｃｏｒｐｏｒａｔｉｎｇ  Ｐａｙｍｅｎｔ  Ｐｒｏｃｅｓｓｉｎｇ  Ｄｅｖｉｃｅ，ＴＶ  Ｓｉｇｎａｌ  Ｒｅｃｅｉｖｅｒ  Ｄｅｖｉｃｅ，ａｎｄ／ｏｒ  Ｍｏｄｕｌａｒ  Ｍｕｌｔｉ−Ｉｎｐｕｔ／Ｏｕｔｐｕｔ  Ｄｅｖｉｃｅ（支払い処理デバイス、ＴＶ信号受信機デバイス、および／またはモジュール型マルチ入出力デバイスを組み込む移動デバイス用の外部ケースアクセサリ）」という名称の米国特許仮出願第６１／３４６，３８６号に対する優先権を主張する。
【０００３】
[0003]多くの移動デバイス（たとえば、移動電話、デジタルアシスタント、移動通信デバイス、ハンドヘルドコンピューティングデバイス、個人用音楽／ビデオ／コンテンツプレーヤ、および記憶装置）が、しばしばバッテリ電源によって給電される。そのようなバッテリ電源は、しばしば移動デバイス内に収納され、必要に応じて交換および／または再充電することができる。しかし、より強力な移動デバイスが設計されるにつれて、それらのデバイスは、より早く電力を消費する傾向があり、それにより充電間の時間が短くなる。これは、ユーザがバッテリ電源を再充電するために電源を見つけ出し、再充電されるまで待たなければならないので、移動デバイスの有用性を制限しがちである。
【０００４】
[0004]さらに、そのような移動デバイスは、一般に、広範な消費者のニーズを満たすように設計される。たとえば、そのような移動デバイスは、（たとえばバッテリ電力を延ばすために）いくらか処理能力が制限され、また入力／出力能力が制限されることがある。その結果、様々なタイプの解決策を実施するために移動デバイスの能力を拡張したいと望むユーザは、そうすることができない可能性がある。
【発明の概要】
【課題を解決するための手段】
【０００５】
本願の実施例は、例えば、移動デバイス用のモジュール型モバイルアクセサリに関する。
【図面の簡単な説明】
【０００６】
【図１】[0005]一例による移動デバイス用のバッテリパックの斜視図である。
【図２】[0006]移動デバイスを図１のバッテリパック内にどのように収納することができるかを示す図である。
【図３】[0007]図１のバッテリパックの正面図である。
【図４】[0008]開いた構成にある図１のバッテリパックの図である。
【図５】[0009]図１のバッテリパックの上面図である。
【図６】[0010]図１のバッテリパックの底面図である。
【図７】[0011]図１のバッテリパックの背面図である。
【図８】[0012]開位置にある図１のバッテリパックの背面図である。
【図９】[0013]図１のバッテリパックの第１の側面図である。
【図１０】[0014]開位置にある図１のバッテリパックの第１の側面図である。
【図１１】[0015]図１のバッテリパックの第２の側面図である。
【図１２】[0016]開位置にある図１のバッテリパックの第２の側面図である。
【図１３】[0017]図１のバッテリパックの構成要素の分解図である。
【図１４】[0018]図１のバッテリパックのためのブロック図である。
【図１５】[0019]バッテリパックの斜視図である。
【図１６】[0020]移動デバイス１６０２が挿入されたバッテリパックの斜視図である。
【図１７】[0021]移動デバイス用の拡張可能な処理および／またはインターフェース用プラットフォームとしても動作するバッテリパックの図である。
【図１８】[0022]バッテリパックの別の斜視図である。
【図１９】[0023]バッテリパックの正面図である。
【図２０】[0024]移動デバイスが挿入されたバッテリパック１５０２の正面図である。
【図２１】[0025]移動デバイスが挿入されたバッテリパックの背面図である。
【図２２】[0026]移動デバイス有り、および移動デバイス無しのバッテリパックの側面図である。
【図２３】[0027]移動デバイスに追加の外部処理および追加のインターフェースを提供するように適合されている外部処理モバイルアクセサリの機能ブロック図である。
【図２４】[0028]支払いカードの磁気帯に記憶されたデータを読み取るように適合された支払い処理モバイルアクセサリの一実施形態の機能ブロック図である。
【図２５】[0029]支払い処理アクセサリの前面斜視図である。
【図２６】[0030]支払い処理アクセサリの正面図である。
【図２７】[0031]支払い処理アクセサリの底面図である。
【図２８】[0032]支払い処理アクセサリの側面図である。
【図２９】[0033]図２９Ａは、支払い処理アクセサリによって包まれた移動デバイスの前面斜視図である。図２９Ｂは、支払い処理アクセサリによって包まれた移動デバイスの前面斜視図である。
【図３０】[0034]上部セクションおよび下部セクションを有する２部支払い処理アクセサリの図である。
【図３１】[0035]下部セクションの分解図と共に支払い処理アクセサリを示す図である。
【図３２】[0036]図３２Ａは、支払い処理アクセサリの下部セクションの中身の斜視図である。図３２Ｂは、支払い処理アクセサリの下部セクションの中身の斜視図である。図３２Ｃは、支払い処理アクセサリの下部セクションの中身の斜視図である。
【図３３】[0037]支払いカード内に埋め込まれたチップに記憶されたデータを読み取るように適合された支払い処理モバイルアクセサリの一実施形態の機能ブロック図である。
【図３４】[0038]プログラム可能なスマートカードモバイルアクセサリの機能ブロック図である。
【図３５】[0039]テレビ信号受信機およびバッテリパックモバイルアクセサリの機能ブロック図である。
【図３６】[0040]下部モジュールおよび上部モジュールを含む２ピースモジュール型移動デバイスアクセサリ案の機能ブロック図である。
【図３７】[0041]下部モジュール、中間モジュール、および上部モジュールを含む３ピースモジュール型移動デバイスアクセサリ案の機能ブロック図である。
【図３８】[0042]データ管理モバイルアクセサリを備える移動デバイスがサーバ上に記憶されたデータと同期しそれを更新することを可能にするデータ管理システムの機能ブロック図である。
【図３９】[0043]データ管理モバイルアクセサリの一実施形態の機能ブロック図である。
【発明を実施するための形態】
【０００７】
[0044]以下の詳細な説明では、本発明を完全に理解することができるように、多数の特定の詳細を述べる。しかし、本発明は、これらの特定の詳細なしに実施することができる。他の場合には、本発明の態様を不必要にわかりにくくしないように、周知の方法、手順、および／または構成要素は詳細に述べられていない。
バッテリパックの第１の実施形態
[0045]図１は、一例による移動デバイス用のバッテリパックの斜視図を示す。この例では、バッテリパック１００は、移動電話を、輪郭に合わせて作られた空洞１０２内に受け取る、または収納するように形作られている。バッテリパック１００は、移動デバイスを動作させる、かつ／または再充電するために電力を供給することが可能な一体型の再充電可能な電池を有する。例示のために、移動デバイスはＡｐｐｌｅ  Ｉｎｃ．によるｉＰｈｏｎｅ（商標）として示されているが、当業者なら、コンピュータ、移動電話、メディアプレーヤ、音楽プレーヤ、携帯情報端末（ＰＤＡ）、タブレットコンピュータなど、他の移動デバイスも同様に適用可能であり得ることを理解されたい。
【０００８】
[0046]図２は、移動デバイスを図１のバッテリパック１００内にどのように収納することができるかを示す。この図からわかるように、バッテリパック１００は、移動デバイス２０２を密接に包むように形作られ、移動デバイス２０２用の保護ケースとして働く。
【０００９】
[0047]図３は、図１のバッテリパック１００の正面図を示す。バッテリパック１００は、バックプレーン３０４と、第１の側３０６および第２の側３０８と、下側３１２と、上側３１４とを含む。バックプレーン３０４、第１の側３０６および第２の側３０８、下側３１２、上側３１４は、給電すべき移動デバイス２０２を収納することができるポケットまたは空洞１０２を形成するように形作ることができる。バッテリパック１００の上側３１４は、移動デバイス２０２の挿入および取外しを可能にするように滑脱することができる。
【００１０】
[0048]再び図１を参照すると、バッテリパック１００は、移動デバイス２０２の様々な機能へのアクセスを容易にするために、１つまたは複数の開口１０４、１０８、１１０、１１２を含むことができる。開口の配置は、移動デバイスのタイプによって決まることを理解されたい。たとえば、バッテリパック１００のバックプレーン３０４上の第１の開口１０４は、移動デバイス２０２の背面上のカメラレンズに対する遮られない視野を与えることができる。第２の開口１０８は、移動デバイス２０２の画面オン／オフスイッチへのアクセスを提供することができる。第３の開口１１０は、移動デバイス２０２上のオーディジャックへのアクセスを提供することができる。第４の開口１１２は、ボリューム制御スライドスイッチへのアクセスを提供することができる。
【００１１】
[0049]また、バッテリパック１００は、（たとえば、下側３１２上の）空洞１０２内にコネクタまたはインターフェース１０６を含むことができ、それを通じてバッテリパック１００の内部電池から移動デバイス２０２に電力を供給することができる。さらに、コネクタ１０６は、入力および／または出力信号を移動デバイス２０２に送るために、外部インターフェースに結合されてもよい。
【００１２】
[0050]図１から、バッテリパックは、移動デバイス２０２の挿入を可能にするように分離し、次いで移動デバイス２０２を定位置で固定するように共に結合させることができる２つのセクションを含むことができることがわかる。バッテリパック１００のサイズおよび形状は、おおよそ電力を供給することが意図されている移動デバイス２０２の外部輪郭のものとすることができる。
【００１３】
[0051]図４は、開いた構成にある図１のバッテリパックを示す。バッテリパック１００は、下部セクション４０２と上部セクション４０４とを含み、これらのセクションは、移動デバイス２０２をバッテリパック１００内に挿入するために互いに分離することができ、移動デバイス２０２を定位置で固定するために共に結合させることができる。たとえば、下部セクション４０２は、上部セクション４０４からレール４０８ａ、４０８ｂを受け取る受取り溝４０６ａ、４０６ｂを含むことができる。このようにして、上部セクション４０４は、圧入によって下部セクション４０２に結合させることができる。たとえば、舌部セクション８０２（図８）が上部セクション４０４上で摺動することができ、その結果、係合タブ４１２が受取り溝８０４（図８）内に結合し、上部セクション４０４を下部セクション４０２に固定する。
【００１４】
[0052]図５は、図１のバッテリパック１００の上面図を示す。この図では、バッテリパック１００の上側３１４が示されており、第１の開口１０４、第２の開口１０８、第３の開口１１０がわかる。
【００１５】
[0053]図６は、図１のバッテリパック１００の底面図を示す。この図では、バッテリパック１００の下側３１２が示されており、この図では、外部インターフェース６０２（たとえば、マイクロＵＳＢコネクタ）が示されている。この外部インターフェース６０２は、バッテリパックの内部電池を再充電するように働くことができる。さらに、外部インターフェース６０２はまた、内部コネクタまたはインターフェース１０６のためのパススルーシグナリングインターフェースを提供することができ、それにより移動デバイス２０２が外部インターフェース６０２を介して通信することを可能にする。また、バッテリパック１００の下側３１２にスイッチ６０４が位置することができ、バッテリパックからの電力をオンまたはオフに切り替えるように機能することができる。すなわち、移動デバイス２０２がそれ自体十分な電力を有するとき、バッテリパックの電池は必要とされず、必要となるまでオフにしておくことができる。
【００１６】
[0054]図７は、図１のバッテリパック１００の背面図を示す。この例では、テストボタン７０２が設けられており、テストボタン７０２は、押されたとき、複数のＬＥＤライト７０４にバッテリパック１００の内部電池の電力または充電レベルを示させる。
【００１７】
[0055]図８は、開位置にある図１のバッテリパック１００の背面図を示す。
[0056]図９は、図１のバッテリパックの第１の側面図を示す。
[0057]図１０は、開位置にある図１のバッテリパックの第１の側面図を示す。
【００１８】
[0058]図１１は、図１のバッテリパックの第２の側面図を示す。
[0059]図１２は、開位置にある図１のバッテリパックの第２の側面図を示す。
[0060]図１３は、図１のバッテリパックの構成要素の分解図を示す。この例では、バッテリパックは、第１の下部セクション１３０２と、第２の下部セクション１３０４とを含むことができ、これらの下部セクションは、間に１つまたは複数の回路板１３０８、１３１０、および／もしくは１３１２、ならびに／または１つまたは複数の電池１３０６が収納される上下シェルを形成する。すなわち、回路板１３０８、１３１０、１３１２、および／または（１つまたは複数の）電池１３０６は、バッテリパック１００の上部セクション１３０２と下部セクション１３０４の間に挟まれる。したがって、（１つまたは複数の）再充電可能な電池１３０６を、バッテリパックのバックプレーンの厚さの中に収納することができる。
【００１９】
[0061]場合によっては、バッテリパックの回路板および／または電池は、近くにある移動デバイス２０２のアンテナまたはシグナリングとの干渉を引き起こすおそれがある。したがって、一態様は、１次回路板１３０８に電気的に結合される２次回路板１３１０、１３１２を追加することによって、１次回路板１３０８のサイズを削減することを可能にする。これにより、回路板１３０８のサイズを削減し、それにより移動デバイス２０２のアンテナに対する干渉を低減することができる。さらに、電池１３０６のための接地を（内部インターフェース１０６を介して）移動デバイス２０２のための接地に結合し、移動デバイス２０２に対する干渉を低減することができる。
【００２０】
[0062]図１４は、図１のバッテリパック１００のためのブロック図を示す。バッテリパック１４０２は、電池１４０４、内部インターフェース１４０６、外部インターフェース１４０８、および充電レベルインジケータ１４１０を含むことができる。内部インターフェース１４０６は、移動デバイス２０２に電池１４０４から電力を供給するように適合され、また移動デバイス２０２への／移動デバイス２０２からの信号を外部インターフェース１４０８に渡すことができる。外部インターフェース１４０８は、電池１４０４の再充電を可能にし、また移動デバイス２０２への／移動デバイス２０２からの信号を内部インターフェース１４０６を介して渡すことができる。スイッチ１４１２は、電池１４０４から移動デバイス２０２への電力を、望むようにオンおよびオフに切り替えることを可能にすることができる。また、充電レベルインジケータ１４１０は、電池１４０４の充電レベルの表示を可能にする。さらに、再充電モジュール１４１２が、必要とされるとき電池１４０４を再充電するように働く。
バッテリパックの第２の実施形態
[0063]図１５〜１６および図１８〜２２は、パワーパックの別の実施形態を示す。この実施形態では、パワーパックは、先に開示されているように動作することができるが、上部セクションを含まない。上部セクションを除去することにより、バッテリパックは、サイズがよりコンパクトに、また人間工学的になり、その結果、固定される移動通信デバイス１６０２のサイズ、厚さ、および／または形状を著しく増大することも変更することもない。
【００２１】
[0064]図１５は、バッテリパック１５０２の斜視図を示す。
[0065]図１６は、移動デバイス１６０２が挿入されたバッテリパック１５０２の斜視図を示す。
【００２２】
[0066]図１８は、バッテリパック１５０２の別の斜視図を示す。
[0067]図１９は、バッテリパック１５０２の正面図を示す。
[0068]図２０は、移動デバイスが挿入されたバッテリパック１５０２の正面図を示す。
【００２３】
[0069]図２１は、移動デバイス１６０２が挿入されたバッテリパック１５０２の背面図を示す。
[0070]図２２は、移動デバイス１６０２有り、および移動デバイス１６０２無しのバッテリパック１５０２の側面図を示す。いくつかの実施形態では、左側と右側が対称であってもよいことに留意されたい。
拡張可能な処理およびインターフェース用プラットフォーム
[0071]図１７は、移動デバイス用の拡張可能な処理および／またはインターフェース用プラットフォームとしても動作するバッテリパックを示す。一例では、バッテリパック１７０２は、図１４を参照して述べたように動作することができる。さらに、このバッテリパックは、１つまたは複数のプロセッサ１７０６および／または１つまたは複数のインターフェース１７０８をも含むことができる。１つまたは複数のプロセッサ１７０６ａ、１７０６ｂは、内部インターフェース１４０６に結合された移動デバイスがその処理能力を拡張することを可能にすることができる。たとえば、移動デバイスは、移動デバイス上のユーザディスプレイを出力インターフェースとして使用しながら、１つまたは複数のアプリケーションを１つまたは複数のプロセッサ１７０６上で実行させることができる。さらに、プロセッサ１７０６ａおよび／または１７０６ｂは、移動デバイスが普通ならそれ自体で可能でない特定のタスクを実施することを可能にする目的特定のプロセッサとすることができる。たとえば、プロセッサ１７０６は、アナログ−デジタル変換、オーディオ信号サンプリング、温度測定などを実現することができ、これらは標準的な移動デバイスにとって使用可能でない可能性がある。
【００２４】
[0072]１つまたは複数のインターフェース１７０８ａ、１７０８ｂもまた、信号を通信または獲得するための手段を移動デバイスに提供することができる。これらのインターフェース１７０８は、様々なタイプの信号（たとえば、オーディオ、赤外線など）のための有線および／または無線通信インターフェースを提供することによって、移動デバイスにとって使用可能な通信インターフェースを効果的に拡張することができる。このようにして
[0073]また、バッテリパック１７０２は、電池１４０４の再充電を容易にする再充電モジュール１７０４をも含むことができる。たとえば、再充電モジュール１７０４は、誘導または他の方法で電池１４０４の再充電を容易にする無線またはコードレス充電デバイスとすることができる。
【００２５】
[0074]一例示的な実装では、バッテリパック１７０２は、内蔵テストポートを介してリアルタイム健康状態（たとえば、呼気内のアルコールレベル、脈拍、体温、血圧、テストおよび／または診断糖尿病など）を監視するための内蔵機能を有することができる医療処理ユニットとして機能するように適合されてもよい。したがって、バッテリパック１７０２は、データを収集し、かつ／またはそのような収集されたデータを処理し、それを移動デバイス内で記憶することができる。そのようなデータの処理は、バッテリパック１７０２の１つまたは複数のプロセッサおよび／または移動デバイスの（１つまたは複数の）プロセッサ上で動作するアプリケーションによって指揮することができる。１つの特徴によれば、異常な健康状態（たとえば、心臓発作、失神、発作など）が発生した場合、医療処理ユニットは、この状態を検出し、緊急テキストメッセージまたは電子メールを医師、病院、または救急応答者に送るように移動デバイス（たとえば、セルラ電話）を自動的に活動化することができる。応答する当事者（医師、病院、救急応答者）は、全世界測位システム、または移動デバイスからの情報を介して患者を突き止めることができる。
【００２６】
[0075]別の例示的な実装では、バッテリパック１７０２は、移動デバイスを、ジョイスティックまたは大型のＰＳＰ／ＤＳタイプのゲーム用ボタンおよび通信デバイスを有する本当のハンドヘルドゲーム用デバイスに変える能力を含むことができるゲーム処理ユニットとして機能するように適合されてもよい。したがって、移動デバイスを、（たとえば、移動デバイスまたはバッテリパック上のディスプレイを介して）ゲームのための入力および／または出力インターフェースとして動作するように構成することができる。
【００２７】
[0076]別の例では、バッテリパック１７０２は、移動デバイスを、自宅または事務所内の、ＩＲによって活動化されるユニットすべてを制御する（たとえば、車庫のドア、テレビセット、セキュリティ警報、空調、照明などを制御する）ことができるユニバーサルスマートリモートコントロールに変える能力を含むことができるホームエンターテイメントユニットとして機能するように適合されてもよい。このために、バッテリパック１７０２は、そのようなデバイスを制御するために特定の赤外線および／または無線プロトコルおよび／またはシグナリングを提供する様々なインターフェース１７０８を含むことができる。
外部処理モバイルアクセサリ
[0077]図１７を参照して上記で論じたように、バッテリパック１７０２は、１つまたは複数のプロセッサ１７０６ａ、１７０６ｂと、１つまたは複数のインターフェース１７０８ａ、１７０８ｂを備える拡張可能な処理ユニットとして動作することができる。１つまたは複数のプロセッサ１７０６ａ、１７０６ｂは、内部インターフェース１４０６に結合された移動デバイスがその処理能力を拡張することを可能にすることができ、一方、１つまたは複数のインターフェース１７０８ａ、１７０８ｂもまた、信号を通信または獲得するための手段を移動デバイスに提供することができる。この概念は、移動デバイスの機能を拡張する、または能力を移動デバイスに追加する１つまたは複数のプロセッサおよび／またはデバイスを含むことができる外部アクセサリ（外部バッテリ有りまたは無し）に拡張されてもよい。
【００２８】
[0078]たとえば、図２３は、移動デバイス２３５０に追加の外部処理および追加のインターフェースを提供するように適合されている外部処理モバイルアクセサリ２３０２の機能ブロック図を示す。移動処理アクセサリ２３０２は、メモリモジュール２３０４、１つまたは複数のプロセッサ２３０６ａ、２３０６ｂ、１つまたは複数の入出力（Ｉ／Ｏ）インターフェース２３０８ａ、２３０８ｂ、内部インターフェース２３１０、外部インターフェース２３１２、暗号化モジュール２３１４、電池モジュール２３１６（たとえば、バッテリ電源）、一体型ディスプレイ２３１８、バス２３２０、および／または電力バス２３２２を備えることができる。バス２３２０は、１つまたは複数のプロセッサ２３０６ａ、２３０６ｂ、１つまたは複数のＩ／Ｏインターフェース２３０８ａ、２３０８ｂ、メモリモジュール２３０４、内部インターフェース２３１０、外部インターフェース２３１２、暗号化モジュール２３１４、電池モジュール２３１６、および／または一体型ディスプレイ２３１８の間の通信インターフェースとして働く。
【００２９】
[0079]電池モジュール２３１６は、図１７の電池１４０４、充電レベルインジケータ１４１０、再充電モジュール１７０４、スイッチ１４１２を備えることができる任意選択のモジュールである。電池モジュール２３１６およびその構成要素は、図１〜２２に記載されているバッテリパックの機能の一部またはすべてを実施することができる。たとえば、電池モジュール２３１６は、電力バス２３２２を介し、内部インターフェース１４０６を経て移動デバイス２３５０に電力を供給することができる。
【００３０】
[0080]メモリモジュール２３０４は、オペレーティングシステム２３２４、ソフトウェアアプリケーション、および／またはデータを記憶するための揮発性および／または不揮発性記憶装置を含むことができる。たとえば、メモリモジュールは、１つまたは複数のソフトウェア開発キット（ＳＤＫ）２３２６を含むことができる。一例では、メモリモジュール２３０４は、それだけには限らないがフラッシュメモリ、ＲＯＭ、ＲＡＭ、ハードディスク、光ディスク、フラッシュメモリなどソリッドステートメモリ、または当技術分野で知られている任意の他のコンピュータデータ記憶装置など、１つまたは複数の独立のコンピュータデータ記憶装置を含むことができる。オペレーティングシステム（ＯＳ）２３２４は、それだけには限らないがＡｎｄｒｏｉｄ（商標）、ｉＰｈｏｎｅ  ＯＳ（商標）、Ｓｙｍｂｉａｎ  ＯＳ（商標）、ＢｌａｃｋＢｅｒｒｙ  ＯＳ（商標）、Ｗｉｎｄｏｗｓ  Ｍｏｂｉｌｅ（商標）、Ｌｉｎｕｘ、Ｐａｌｍ  ｗｅｂＯＳ（商標）、およびＭａｅｍｏ（商標）など、モバイル処理アクセサリ２３０２のリソースの活動および共有を適切に管理および調整する任意のタイプのＯＳとすることができる。また、ＯＳ２３２４は、メモリモジュール２３０４に常駐する様々なコンピューティングアプリケーションをホストすることができる。
【００３１】
[0081]ＳＤＫ２３２６は、モバイル処理アクセサリ２３０２と通信するアプリケーション（たとえば、移動デバイスおよび／またはモバイルアクセサリ２３０２内のプロセッサ上で実行される）の作成を可能にする開発ツールのセットとすることができる。ＳＤＫ２３２６は、メモリモジュール２３０４に常駐するデータファイルの形態にある単純なアプリケーションプログラミングインターフェース（ＡＰＩ）を含むことができ、かつ／またはモバイル処理アクセサリ２３０２内の、またはその外部の構成要素と通信するハードウェアを含むことができる。ＳＤＫ２３２６は、それだけには限らないがソースコードエディタ、コンパイラ、ビルド自動化ツール、デバッガ、および統合開発環境（ＩＤＥ）内にあり得る他のユーティリティなどのツールを含むことができる。ＳＤＫ２３２６は、（移動デバイス上の対応するアプリケーションと通信することができる）１つまたは複数のプロセッサ２３０６ａ、２３０６ｂ上で実行される様々なユニークなアプリケーションをユーザが作成することを可能にし、また、モバイル処理アクセサリ２３０２の特定の実施形態にとって使用可能な様々なタイプのリソースを使用することができる。
【００３２】
[0082]モバイル処理アクセサリ２３０２の内部インターフェース２３１０は、ワイヤ、バス、および／または電気接点接続を介して移動デバイスインターフェース２３６０と接触することによって、情報を移動デバイス２３５０に転送することができる。代替として、またはそのような有線接続に加えて、内部インターフェース２３１０は、たとえばＢｌｕｅｔｏｏｔｈ標準、または８０２．１１標準の任意のものを使用して無線で情報を移動デバイス２３５０に転送してもよい。そのような場合、移動デバイス２３５０は、無線で情報を送受信することができる適切な無線インターフェースハードウェアを備えることができる。
【００３３】
[0083]モバイル処理アクセサリ２３０２の暗号化モジュール２３１４は、内部インターフェース２３１０から移動デバイスインターフェース２３６０に無線で、または有線で送られる一部のデータまたはすべてのデータを暗号化するように働くことができる。また、暗号化モジュール２３１４は、内部インターフェース２３１０によって移動デバイスインターフェース２３６０に無線で、または有線で受信されるデータを解読するように働くことができる。移動デバイス２３５０の暗号化モジュール２３５２もやはり、移動デバイスインターフェース２３６０から内部インターフェース２３１０に無線で、または有線で送られるデータを暗号化するように働くことができる。また、暗号化モジュール２３５２は、移動デバイスインターフェース２３６０によって内部インターフェース２３１０に無線で、または有線で受信されるデータを解読するように働くことができる。データ暗号化標準（ＤＥＳ）、高度暗号化標準（ＡＥＳ）、ハッシュ関数（ＭＤ５、ＳＨＡ−１、ＳＨＡ−２、ＳＨＡ−３など）など対称鍵暗号、ならびにＲｉｖｅｓｔ，Ｓｈａｍｉｒ  ａｎｄ  Ａｄｌｅｍａｎ（ＲＳＡ）アルゴリズムおよびデジタル署名アルゴリズム（ＤＳＡ）のようなデジタル署名方式など非対称鍵暗号を含めて、当技術分野で周知である様々なタイプのデータ暗号化技法を使用することができる。暗号化モジュール２３１４、２３５２は、ハードウェア回路またはソフトウェアを使用して実装することができる。
【００３４】
[0084]モバイル処理アクセサリ２３０２を参照して上記で論じた様々な構成要素は、移動デバイス２３５０とインターフェースする目的特定のモバイルアクセサリを生み出すために、除去、改良、および／または修正されてもよい。
【００３５】
[0085]いくつかの実装では、外部処理モバイルアクセサリ２３０２のあるバージョンは、購入者が自分のソフトウェアアプリケーションおよび／または命令をメモリモジュール２３０４に追加することを可能にするプログラム可能なデバイスとして売却または配布されてもよい。これらのアプリケーションは、処理および／またはインターフェース用リソースが制限された移動デバイスでは可能でなく容易に実装されないはずの専門タスク（たとえば、人の生命徴候を収集すること、指紋を収集すること、クレジットカードを読み取ること、など）を実施するために、外部処理モバイルアクセサリ２３０２に設けられた処理能力および／または入出力インターフェースを利用することができる。したがって、外部処理モバイルアクセサリ２３０２は、目的特定のアプリケーションを実装するためのプラットフォームとして働くことができる。
【００３６】
[0086]次に、そのような目的特定のモバイル処理アクセサリのいくつかの実施形態について、以下、より詳細に述べる。
支払い処理モバイルアクセサリ
磁気帯カードリーダ実施形態
[0087]図２４は、支払いカードに関連付けられた１つまたは複数の磁気帯に記憶されたデータを読み取るように適合された支払い処理モバイルアクセサリ２４０２（「支払い処理アクセサリ２４０２」とも称する）の一実施形態の機能ブロック図を示す支払い処理アクセサリ２４０２は、メモリモジュール２４０４、磁気帯リーダ処理回路２４０６、磁気帯リーダインターフェース２４０８、内部インターフェース２４１０、暗号化モジュール２４１２、およびバス２４１３を備えることができる。バス２４１３は、メモリモジュール２４０４と、磁気帯リーダ処理回路２４０６と、磁気帯リーダインターフェース２４０８と、内部インターフェース２４１０と、暗号化モジュール２４１２との間の通信を可能にする。
【００３７】
[0088]メモリモジュール２４０４は、オペレーティングシステム２４１４、および１つまたは複数のソフトウェア開発キット（ＳＤＫ）２４１６を備えることができる。メモリモジュール２４０４は、それだけには限らないがフラッシュメモリ、ＲＯＭ、ＲＡＭ、ハードディスク、光ディスク、フラッシュメモリなどソリッドステートメモリ、または当技術分野で知られている任意の他のコンピュータデータ記憶装置など、１つまたは複数の独立のコンピュータデータ記憶装置を含むことができる。オペレーティングシステム（ＯＳ）２４１４は、それだけには限らないがＡｎｄｒｏｉｄ（商標）、ｉＰｈｏｎｅ  ＯＳ（商標）、Ｓｙｍｂｉａｎ  ＯＳ（商標）、ＢｌａｃｋＢｅｒｒｙ  ＯＳ（商標）、Ｗｉｎｄｏｗｓ  Ｍｏｂｉｌｅ（商標）、Ｌｉｎｕｘ、Ｐａｌｍ  ｗｅｂＯＳ（商標）、およびＭａｅｍｏ（商標）など、支払い処理アクセサリ２４０２のリソースの活動および共有を適切に管理および調整する任意のタイプのＯＳとすることができる。また、ＯＳ２４１４は、メモリモジュール２４０４に常駐する様々なコンピューティングアプリケーションをホストすることができる。
【００３８】
[0089]モバイル処理アクセサリ２４０２の暗号化モジュール２４１２は、内部インターフェース２４１０から移動デバイスインターフェース２４６０に無線で、または有線で送られるデータを暗号化するように働くこともできる。また、暗号化モジュール２４１２は、内部インターフェース２４１０によって移動デバイスインターフェース２４６０に無線で、または有線で受信されるデータを解読するように働くことができる。移動デバイス２４５０の暗号化モジュール２４６８もやはり、移動デバイスインターフェース２４６０から内部インターフェース２４１０に無線で、または有線で送られるデータを暗号化するように働くことができる。また、暗号化モジュール２４６８は、移動デバイスインターフェース２４６０によって内部インターフェース２４１０に無線で、または有線で受信されるデータを解読するように働くことができる。ＤＥＳ、ＡＥＳ、ハッシュ関数（ＭＤ５、ＳＨＡ−１、ＳＨＡ−２、ＳＨＡ−３など）など対称鍵暗号、ならびにＲＳＡおよびＤＳＡのようなデジタル署名方式など非対称鍵暗号を含めて、当技術分野で周知である様々なタイプのデータ暗号化技法を使用することができる。暗号化モジュール２４１２、２４６８は、ハードウェア回路またはソフトウェアを使用して実装することができる。
【００３９】
[0090]磁気帯リーダインターフェース２４０８は、クレジットカード、デビットカード、チャージカード、プリペイドクレジットカード、および／または磁気帯を使用する任意の他のカードベースの支払いシステムなど、様々な支払いカード上の磁気帯を読み取るように構成される。たとえば、磁気帯リーダインターフェース２４０８は、ＩＳＯ／ＩＥＣ標準７８１１に従って標準的な３トラックの帯のカードを読み取ることが可能である。
【００４０】
[0091]磁気帯リーダインターフェース２４０８は、磁気帯支払いカード（以下、「マグカード（Ｍａｇｃａｒｄ）」）に関連付けられた口座情報および他のデータを読み取るように構成される。一例では、マグカードに関連付けられた口座情報および他のデータは、購入取引と共に、および／または購入取引を容易にするために磁気帯リーダインターフェース２４０８によって読み取られる。次いで、口座情報および他のデータを、バス２４１３を介して磁気帯リーダ処理回路２４０６に送信することができる。他の実施形態では、口座情報および他のデータは、記憶するために、バス２４１３を介してメモリモジュール２４０４に送信されてもよい。一例では、磁気帯リーダ処理回路２４０６は、磁気帯リーダインターフェース２４０８から直接受け取られた口座情報および他のデータを収集および／または転送するプログラム可能な論理アレイとすることができる。磁気帯リーダ処理回路２４０６は、マグカードから口座情報および他のデータを読み取り、または収集し、そのような情報を内部インターフェース２４１０を介して、移動デバイス２４５０上で実行されるアプリケーションに送るように、磁気帯リーダインターフェース２４０８に指令する責任を担う。
【００４１】
[0092]移動デバイス２４５０は、支払い処理アクセサリ２４１２から受け取られた口座情報および他のデータを処理する支払い処理アプリケーション（たとえば、処理回路２４５４）を実行することができる。支払い処理アプリケーションは、支払い処理アクセサリ２４０２上のＳＤＫ２４１６と通信するように、移動機上のＳＤＫ２４５８を使用して特定のマーチャントアカウントプロバイダによって特別に開発されたユニークなアプリケーションとすることができる。たとえば、特定の取引に関連する詳細な取引情報を、キーボード、タッチスクリーンディスプレイなど、移動デバイス２４５０の入力インターフェース２４５２に入力することができる。そのような情報は、取引に対して支払われるべき、マグカードに課金されるべき購入額を含むことができる。そのようなタスクの処理は、移動デバイスの処理回路２４５４によって実施することができる。一実施形態では、処理回路２４５４は、移動デバイスのメモリモジュール２４５６に常駐する支払い処理アプリケーションを実行することによって、これらのタスクを実施する。メモリモジュール２４５６に常駐する支払い処理アプリケーションも同様に、移動デバイス２４５０のオペレーティングシステム２４６２に常駐するＳＤＫ２４５８を使用してマーチャントアカウントプロバイダが特別に開発することができる。
【００４２】
[0093]必要な口座情報および他のデータが移動デバイス２４５０によって支払い処理アクセサリ２４０２から受け取られ、かつ購入額に関する詳細が入力された後で、移動デバイス２４５０の送受信（Ｔｘ／Ｒｘ）回路２４６４が、口座情報（たとえば、クレジットカード番号）および購入取引情報（たとえば、取引額など）を、その無線ネットワークを介して、承認のためにマーチャントアカウントプロバイダに無線で送信することができる。移動デバイス２４５０のＴｘ／Ｒｘ回路２４６４は、課金が承認されたというマーチャントアカウントプロバイダからの確認応答メッセージを受け取ることができる。この確認応答メッセージを、移動デバイス２４５０の出力インターフェース２４６６を介して購入者または商人に連絡することができる。
【００４３】
[0094]承認されたとき、取引を詳述する受領証を、移動デバイス２４５０によって生成することができる。受領証情報は、印刷するために、無線で、または有線接触でローカルのプリンタに送信されてもよい。他の実施形態では、購入者またはマグカードに関連付けられた電子メールアドレスを、入力インターフェース２４５２を介して移動デバイス２４５０に入力することができる。次いで、取引が承認されたとき、その受領証を、移動デバイス２４５０によって入力された電子メールアドレスに電子メール送信することができる。さらに他の実施形態では、取引を詳述する受領証は、入力インターフェース２４５２を介して署名が購入者から取得される前に、または取得された後で生成されてもよい。
【００４４】
[0095]代替の実施形態では、支払い処理アクセサリ２４０２は、情報をマグカードから収集する、または読み取る以上のことを行い、取引を実施するために情報を移動デバイス２４５０に提供してもよい。たとえば、それを通して取引の妥当性を検証することができる（たとえば、それを通してクレジットカード支払いを承認することができる）ネットワークへの接続を移動デバイスが有していない可能性がある場合、支払い処理アクセサリ２４０２は、それ自体、取引の妥当性を検証するためにマーチャントアカウントプロバイダと通信することが可能な無線通信を含むことができる。いくつかの実装では、支払い処理アクセサリ２４０２は、内部インターフェース２４１０を介して移動デバイス２４５０によって給電されてもよく、一方、他の実装では、支払い処理アクセサリ２４０２は、それ自体の内部電源（たとえば、図２３における電池モジュール２３１６）を有してもよい。
【００４５】
[0096]さらに他の実装では、支払い処理アクセサリ２４０２は、マグカードのユーザを認証するための入力デバイスを含むことができる。たとえば、支払い処理アクセサリ２４０２は、支払人の指紋を収集し、それを内部インターフェース２４１０を介して移動デバイス２４５０に送る指紋スキャナを含むことができる。指紋情報は、その後で、マグカードを使用する支払いを認証する一貫として、妥当性検証のためにマーチャントアカウントプロバイダに送られてもよい。
【００４６】
[0097]支払い処理アクセサリ２４０２は、磁気カードリーダだけに限定されないことを理解されたい。様々な実装では、支払い処理アクセサリ２４０２は、支払人の支払いカードまたはデバイスから情報を収集するように適合されたスマートカード、近接リーダ、および／またはバーコードスキャナを含むことができる。
【００４７】
[0098]図２５は、支払い処理アクセサリ２４０２の前面斜視図を示す。一実施形態では、支払い処理アクセサリ２４０２は、移動デバイスを支払い処理アクセサリ２４０２に挿入するために互いに分離することができる下部セクション２５０２および上部セクション２５０４を備える。支払い処理デバイス２４０２の回路および／または構成要素は、下部セクション２５０２および／または上部セクション２５０４内に収納することができる。次いで、これらの２つのセクションを共に結合し、移動デバイスを定位置で固定することができる。図２５はまた、磁気帯リーダインターフェース（図示せず）が収納される磁気帯スワイピング領域２５０６を備える支払い処理アクセサリ２４０２の一実施形態を示す。この例では、磁気帯スワイピング領域２５０６は、ユーザが移動デバイス２４５０および支払い処理アクセサリ２４０２を自分の掌に保持しているとき遮られないように、移動デバイス２４５０の下側に沿って位置する。
【００４８】
[0099]図２６は、支払い処理アクセサリ２４０２の正面図を示す。
[00100]図２７は、支払い処理アクセサリ２４０２の底面図を示す。
[00101]図２８は、支払い処理アクセサリ２４０２の側面図を示す。
【００４９】
[00102]図２９Ａおよび図２９Ｂは、支払い処理アクセサリ２４０２によって包まれた移動デバイス２４５０の前面斜視図を示す。どちらの図も、クレジットカードが磁気帯リーダを通してスワイピングされているところをも示す。図２９Ａは、移動デバイス２４５０のバッテリを充電するための、かつ／または支払い処理アクセサリ２４０２と外部通信するための、かつ／または支払い処理アクセサリの内部インターフェース（図示せず）を介して移動デバイス２４５０と外部通信するためのミニＵＳＢインターフェース２９０２を特徴としている支払い処理アクセサリ２４０２の一実施形態を示す。図２９Ｂは、移動デバイス２４５０を充電するためにインターフェースケーブルをミニＵＳＢインターフェース２９０２にどのように接続することができるかを示す。
【００５０】
[00103]図３０〜３１は、一例による支払い処理アクセサリ２４０２の物理的構造を示す。
[00104]図３０は、上部セクション２５０４および下部セクション２５０２を有する２部支払い処理アクセサリ２４０２を示す。上部セクション２５０４は下部セクション２５０２から取外し可能である。たとえば、上部セクション２５０４は、下部セクション２５０２のインターフェース縁部に沿った雄コネクタ３００２を受け取る、インターフェース縁部に沿った雌コネクタ３００４を含むことができる。このようにして、上部セクション２５０４を、圧入によって下部セクション２５０２に結合することができる。様々な実装では、上部セクション２５０４および／または下部セクション２５０２は、処理能力および／または入出力能力を含むことができる。たとえば、一例では、下部セクション２５０２が（たとえばクレジットカードリーダのような）支払い処理モジュールを含むことができ、一方、上部セクション２５０４が電池またはバーコードスキャナを含むことができる。
【００５１】
[00105]図３１は、下部セクション２５０２の分解図と共に支払い処理アクセサリ２４０２を示す。たとえば、下部セクション２５０２は、内側セクション３１０２、外側セクション３１０４、ミニＵＳＢインターフェース２９０２、磁気帯リーダインターフェース２４０８、および内部インターフェース２４１０を備えることができる。内側セクション３１０２および外側セクション３１０４は、間にミニＵＳＢインターフェース２９０２および磁気帯リーダインターフェース２４０８が収納される上下シェルを形成する。内部インターフェース２４１０の一部分もまた、内側セクション３１０２および外側セクション３１０４の中に収納される。したがって、ミニＵＳＢインターフェース２９０２、磁気帯リーダインターフェース２４０８、および内部インターフェース２４１０を、支払い処理アクセサリ２４０２の下部セクション２５０２の厚さの中に収納することができる。
【００５２】
[00106]図３２Ａは、たとえば磁気帯リーダインターフェース２４０８、内部インターフェース２４１０、およびミニＵＳＢインターフェース２９０２を含む、下部セクション２５０２の中身の斜視図を示す。図３２Ｂは、磁気帯リーダインターフェース２４０８を固定することができる磁気帯リーダインターフェース接触点３２０２の斜視図を示す。図３２Ｃは、磁気帯リーダインターフェース接触点３２０２、磁気帯リーダインターフェース２４０８、内部インターフェース２４１０、およびミニＵＳＢインターフェース２９０２を固定する取付けレール３２０４の斜視図を示す。
【００５３】
[00107]他の実施形態では、支払い処理アクセサリ２４０２は、それだけには限らないが「スマートカード」など「チップ・アンド・ピン（ｃｈｉｐ  ａｎｄ  ｐｉｎ）」ベースの支払いシステムを読み取るように構成される追加のインターフェースを有するように適合されてもよい。さらに他の実施形態では、支払い処理アクセサリ２４０２は、マーチャントアカウントプロバイダの電子支払いシステムに関連付けられている無線周波数識別（ＲＦＩＤ）タグを読み取るように構成されるさらに別のインターフェースを有するように適合されてもよい。さらに他の実施形態では、支払い処理アクセサリ２４０２は、磁気カードリーダインターフェース、チップ・アンド・ピンリーダインターフェース、および／またはＲＦＩＤリーダインターフェースのうちの１つだけ、または任意の組合せを備えることができる。
スマートカードリーダ実施形態
[00108]図３３は、スマートカードおよび／または非接触スマートカードなど支払いカード内に埋め込まれたチップに記憶されたデータを読み取るように適合された支払い処理モバイルアクセサリ３３０２（「支払い処理アクセサリ３３０２」とも称する）の一実施形態の機能ブロック図を示す。支払い処理アクセサリ３３０２は、メモリモジュール３３０４、スマートカードリーダ処理回路３３０６、スマートカードリーダインターフェース３３０８、内部インターフェース３３１０、暗号化モジュール３３１２、およびバス３３１３を備えることができる。バス３３１３は、メモリモジュール３３０４と、スマートカードリーダ処理回路３３０６と、スマートカードリーダインターフェース３３０８と、内部インターフェース３３１０と、暗号化モジュール３３１２との間の通信を可能にする。
【００５４】
[00109]支払い処理アクセサリ３３０２は、図２４の支払い処理アクセサリ２４０２ときわめて同様に機能する。メモリモジュール３３０４は、オペレーティングシステム３３１４、および１つまたは複数のソフトウェア開発キット（ＳＤＫ）３３１６を備えることができる。メモリモジュール２４０４は、それだけには限らないがフラッシュメモリ、ＲＯＭ、ＲＡＭ、ハードディスク、光ディスク、フラッシュメモリなどソリッドステートメモリ、または当技術分野で知られている任意の他のコンピュータデータ記憶装置など、１つまたは複数の独立のコンピュータデータ記憶装置を含むことができる。オペレーティングシステム（ＯＳ）３３１４は、それだけには限らないがＡｎｄｒｏｉｄ（商標）、ｉＰｈｏｎｅ  ＯＳ（商標）、Ｓｙｍｂｉａｎ  ＯＳ（商標）、ＢｌａｃｋＢｅｒｒｙ  ＯＳ（商標）、Ｗｉｎｄｏｗｓ  Ｍｏｂｉｌｅ（商標）、Ｌｉｎｕｘ、Ｐａｌｍ  ｗｅｂＯＳ（商標）、およびＭａｅｍｏ（商標）など、支払い処理アクセサリ３３０２のリソースの活動および共有を適切に管理および調整する任意のタイプのＯＳとすることができる。また、ＯＳ３３１４は、メモリモジュール３３０４に常駐する様々なコンピューティングアプリケーションをホストすることができる。
[00110]スマートカードリーダインターフェース３３０８は、スマートカードなど支払いカード内に埋め込まれたチップに記憶された口座情報および他の関連データを読み取るように構成することができる。一実施形態では、スマートカードリーダインターフェース３３０８は、電気接点を特徴としているスマートカードからデータを受け入れ、かつ読み取るように構成することができる。スマートカードリーダインターフェース３３０８は、「非接触スマートカード」からデータを受け入れ、かつ読み取るように構成することができる。そのような実施形態では、スマートカードリーダインターフェースは、無線周波を使用し、非接触スマートカード内に埋め込まれたチップと通信する。どちらの実施形態でも、スマートカード内のチップに記憶された口座情報および／または他の関連データは、スマートカードリーダインターフェース３３０８によって読み取られる。
【００５５】
[00111]口座情報および／または他のデータが移動デバイス３３５０によって支払い処理アクセサリ３３０２から受け取られ、かつ購入額およびユーザＰＩＮに関する詳細が入力された後で、移動デバイス３３５０の送受信（Ｔｘ／Ｒｘ）回路３３６４が、口座情報、ＰＩＮ情報、および購入取引情報を、その無線ネットワークを介して、承認のためにマーチャントアカウントプロバイダに無線で送信することができる。移動デバイス３３５０のＴｘ／Ｒｘ回路３３６４は、課金が承認されたというマーチャントアカウントプロバイダからの確認応答メッセージを受け取ることができる。この確認応答メッセージを、移動デバイス３３５０の出力インターフェース３３６６を介して購入者または商人に連絡することができる。
【００５６】
[00112]承認されたとき、取引を詳述する受領証を、移動デバイス３３５０によって生成することができる。受領証情報は、印刷するために、無線で、または有線接触でローカルのプリンタに送信されてもよい。他の実施形態では、購入者またはスマートカードに関連付けられた電子メールアドレスを、入力インターフェース３３５２を介して移動デバイス３３５０に入力することができる。次いで、取引が承認されたとき、その受領証を、移動デバイス３３５０によって入力された電子メールアドレスに電子メール送信することができる。さらに他の実施形態では、取引を詳述する受領証は、入力インターフェース３３５２を介して署名が購入者から取得される前に、または取得された後で生成されてもよい。
【００５７】
[00113]いくつかの実装では、支払い処理アクセサリは、スマートカードリーダインターフェース３３０８、磁気帯リーダインターフェース２４０８、および／または他のタイプの支払い入力インターフェースなど、支払い入力インターフェースの組合せを含むことができる。
プログラム可能なスマートカードモバイルアクセサリ
[00114]さらに他の実装では、たとえばモバイルアクセサリに内蔵されたプログラム可能なスマートカードモバイルアクセサリを介して支払いを行うことが可能なモバイルアクセサリが提供される。たとえば、移動デバイスは、ユーザが１つまたは複数のクレジットカード、デビット口座、および／または支払い情報を入力することができるアプリケーションを含むことができる。次いで、ユーザは、特定の取引に対してどの形態の支払いを、またはどの口座／カードを使用すべきか選択することができる。次いで、アプリケーションは、選択された口座情報をモバイルアクセサリに送ることができ、モバイルアクセサリは、スマートカード送信機をその情報でプログラムさせる。次いで、ユーザは、取引の支払いを行うために、モバイルアクセサリをスマートカードリーダの近くに置くことができる。後続の取引において、ユーザは、異なる形態の支払い（たとえば、異なる口座またはクレジットカード）を選択し、そのプロセスを繰り返すことができる。この手順は、他のタイプのプログラム可能な出力インターフェースで行うこともできる。このようにして、移動デバイスとモバイルアクセサリの組合せは、ある形態の電子財布として働くことができ、それによりユーザは、物理的なクレジットカードを携行しなければならないことを回避することができる。実際、これは、典型的なクレジットカードに優る改善されたセキュリティをもたらす可能性がある。というのは、アプリケーションがユーザ認証（たとえば、必要とされるパスワード）を要求することができ、その後はじめて記憶された口座またはカードのいずれかを使用することが可能になるからである。
【００５８】
[00115]図３４は、プログラム可能なスマートカードモバイルアクセサリ３４０２の機能ブロック図を示す。プログラム可能なスマートカードモバイルアクセサリ３４０２は、プログラム可能なスマートカード回路３４０４、任意選択の解読モジュール３４０６、内部インターフェース３４０８を備えることができる。プログラム可能なスマートカードモバイルアクセサリ３４０２は、暗号化モジュール３４５２、処理回路３４５４、入力インターフェース３４５６、出力インターフェース３４５８、移動デバイスインターフェース３４６０、メモリ３４６２、およびバス３４６４を備えることができる移動デバイス３４５０と通信する。バス３４６４は、暗号化モジュール３４５２と、処理回路３４５４と、入力インターフェース３４５６と、出力インターフェース３４５８と、移動デバイスインターフェース３４６０と、メモリ３４６２との間の通信を可能にする。
【００５９】
[00116]一実施形態では、移動デバイス３４５０のメモリ３４６２は、プログラム可能なスマートカードモバイルアクセサリ３４０２に関連付けられたソフトウェアアプリケーションを記憶する。移動デバイス３４５０のユーザは、このソフトウェアアプリケーションを処理ユニット３４５４によって実行させることができる。初期セットアップ手順中に、ソフトウェアアプリケーションは、そのユーザについて、それだけには限らないがクレジットカード、デビットカード、プリペイドクレジットカード、チャージカードなどを含めて、１つまたは複数の支払いカードまたは口座に関連する口座情報を収集することができる。たとえば、ユーザは、キーボードまたはタッチスクリーンディスプレイなど入力インターフェース３４５６を介して、各支払いカードに関連するカード番号、有効期限、ＣＷコード、カード所持人名、および／または住所を手動で入力することができる。入力された情報は、移動デバイスのメモリ３４６２に（安全に）記憶することができる。
【００６０】
[00117]ユーザが、移動デバイス３４５０に記憶された複数の支払いカード情報のうちの１つを使用して商品またはサービスに対して支払うことに決めた場合、ユーザは、プログラム可能なスマートカードモバイルアクセサリ３４０２に関連付けられたソフトウェアアプリケーションを実行することができる。ソフトウェアアプリケーションは、移動デバイス３４５０の出力インターフェース３４５８に、複数の記憶された支払いカード情報をユーザに対して表示させることができる。次いで、ユーザは、入力インターフェース３４５６（たとえば、タッチスクリーン）を介して、取引を完了するための所望の支払いカードを選択することができる。次いで、セキュリティのために、その情報は、移動デバイスインターフェース３４６０によってプログラム可能なスマートカードモバイルアクセサリ３４０２の内部インターフェース３４０８に有線または無線で送信される前に、暗号化モジュール３４５２によって暗号化されてもよい。
【００６１】
[00118]プログラム可能なスマートカードモバイルアクセサリ３４０２では、受信された情報（たとえば、選択されたクレジットカード情報）を解読モジュール３４０６によって解読することができ、その後で、プログラム可能なスマートカード回路３４０４に転送される。次いで、プログラム可能なスマートカード回路３４０４は、各支払いカードについて受信された情報を処理し、選択された支払いカードのために、提供された口座情報でそれ自体をプログラムする。プログラムされた回路は、後で、支払いカード情報を取り出すために、スマートカードリーダによって読み取られることが可能である。一実施形態では、プログラム可能なスマートカード回路３４０４は、非接触スマートカードリーダによって読み取ることができる回路をプログラムする。さらに他の実施形態では、プログラム可能なスマートカード回路３４０４は、電気的または磁気的接触を必要とするスマートカードリーダによって読み取ることができる回路をプログラムする。このようにして、移動デバイス３４５０は、複数の支払いカード情報を記憶することができ、プログラム可能なスマートカードアクセサリ３４０２は、スマートカードリーダによって読取り可能な形態で、（たとえば、特定の取引のために）選択された支払いカード情報を提供するように構成することができる。
テレビ信号受信機およびバッテリパックモバイルアクセサリ
[00119]図３５は、テレビ信号受信機およびバッテリパックモバイルアクセサリ３５０２（以下、「テレビ受信機アクセサリ３５０２」）の機能ブロック図を示す。テレビ受信機アクセサリ３５０２は、アンテナ３５０４、ＴＶ信号受信機およびプロセッサ３５０６、外部インターフェース３５０８、内部インターフェース３５１０、電池モジュール３５１２、データ／通信バス３５１４、および／または電力経路／バス３５１６を備えることができる。データ／通信バス３５１４は、ＴＶ信号受信機およびプロセッサ３５０６、外部インターフェース３５０８、内部インターフェース３５１０、および／または電池モジュール３５１２の間の通信を可能にする。
【００６２】
[00120]電池モジュール３５１２は、図１７の電池１４０４、充電レベルインジケータ１４１０、再充電モジュール１７０４、およびスイッチ１４１２（簡単にするために図３５には図示せず）を備えることができる任意選択のモジュールである。電池モジュール３５１２およびその構成要素は、上述のバッテリパックの機能のすべてを実施することができる。たとえば、電池モジュール３５１２は、電力バス３５１６を介し、内部インターフェース３５１０を経て移動デバイス３５５０に電力を供給することができる。
【００６３】
[00121]テレビ受信機アクセサリ３５０２は、アナログテレビ信号および／またはデジタルテレビ信号を受信および／または処理し、そのテレビ信号を、移動デバイス出力ディスプレイ３５６２で観るために移動デバイス３５５０に送信するように構成することができる。テレビ受信機アクセサリ３５０２の一実施形態では、ＴＶ信号受信機およびプロセッサ３５０６は、アンテナ３５０４を通して様々なタイプのテレビ送信信号を受信するように構成される。これらのテレビ送信信号は、それだけには限らないがローカル放送アナログテレビ信号、ローカル放送デジタルテレビ信号、衛星デジタルマルチメディア放送（Ｓ−ＤＭＢ）信号、地上波デジタルマルチメディア放送（Ｔ−ＤＭＢ）信号、１セグ信号、デジタルビデオ放送−ハンドヘルド（ＤＶＢ−ＨまたはＤＶＢ−Ｈ２）信号、およびＦＬＯＴＶ（商標）信号などＭｅｄｉａＦＬＯベースの信号のうちの１つまたは複数を含むことができる。他の実施形態では、ＴＶ信号受信機およびプロセッサはまた、ＸＭ（商標）およびＳｉｒｉｕｓ（商標）信号など衛星デジタルオーディオラジオサービス（ＳＤＡＲＳ）信号を受信するように構成されてもよい。さらに他の実施形態では、テレビ受信機アクセサリ３５０２は、追加の回路と、ＳＤＡＲＳ信号専用の別個のアンテナとを備えることができる。
【００６４】
[00122]ＴＶ信号受信機および／またはプロセッサ３５０６は、受信された前述の信号のいずれかのあらゆる必要なアナログおよび／またはデジタル処理を実施し、そのテレビ信号データを、内部インターフェース３５１０を介して移動デバイスインターフェース３５６０に送信する。
【００６５】
[00123]移動デバイス３５５０は、とりわけ、処理回路３５５２、入出力（Ｉ／Ｏ）インターフェース３５５４、送受信（Ｔｘ／Ｒｘ）回路３５５６、メモリ３５５８、移動デバイスインターフェース３５６０、ディスプレイ３５６２、および／またはバス３５６４を備えることができる。バス３５６４は、処理回路３５５２、Ｉ／Ｏインターフェース３５５４、送信および／もしくは受信（Ｔｘ／Ｒｘ）回路３５５６、メモリ３５５８、ディスプレイ３５６２、ならびに／または移動デバイス３５５０の他の構成要素の間の通信を可能にすることができる。
【００６６】
[00124]処理回路３５５２は、テレビ受信機アクセサリ３５０２から受信されるテレビ信号データを受信し、さらなる処理を実施してから、テレビ信号データをディスプレイ３５６２に送信する。一実施形態では、移動デバイスのメモリ３５５８は、受信されたテレビ信号データをさらに処理するために処理回路３５５２によって実行することができるアプリケーションを含む。さらに、一例では、移動デバイスのメモリ３５５８に常駐するアプリケーションを処理回路３５５２によって実行し、移動デバイス３５５０のユーザがテレビ番組チャネルを選択できるようにすることができる。たとえば、ユーザは、入力インターフェース３５５４を使用し、チャネルを選択し、選択の時間に（ａｔ  ｓｅｌｅｃｔ  ｔｉｍｅｓ）選択番組（ｓｅｌｅｃｔ  ｐｒｏｇｒａｍｓ）を記録するための記録オプションを選択し、解像度および他の表示機能を変更することができる。
【００６７】
[00125]一実施形態では、移動デバイス３５５０のユーザは、移動デバイス３５５０のＴｘ／Ｒｘ回路３５５６を使用し、選択サービスに対して注文する、かつ／または支払うためにテレビ信号サービスプロバイダ（たとえば、ＦＬＯＴＶ（商標））と通信することができる。通信は、無線で実施し、移動デバイス３５５０に関連付けられた無線ネットワークおよび／またはサービスによって実施することができる。
【００６８】
[00126]このようにして、移動デバイス３５５０は一体化されたテレビチューナまたは回路を有していない可能性があるが、受信機アクセサリ３５０２が、無線のテレビ信号（たとえば、アナログおよび／またはデジタル）を受信および／または処理し、そのコンテンツを移動デバイスに提供するためのハードウェア構成要素および／または処理能力を含む。
外部機能および／または能力モバイルアクセサリ
[00127]図２３を参照すると、様々な実装において、外部処理モバイルアクセサリ２３０２は、それだけには限らないがユニバーサル製品コード（ＵＰＣ）および２次元バーコードなど、バーコードを走査するように構成される入力インターフェース２３０８ａを備えることができる。プロセッサ２３０６ａは、バーコード走査入力インターフェース２３０８ａによって走査されたデータを処理し、その製品情報を、内部インターフェース２３１０を介して移動デバイス２３５０に送信することができる。移動デバイスのメモリ２３５６に常駐するアプリケーションは、移動デバイス２３５０のユーザが、走査された製品／物品を識別し、在庫記録を更新すること、購入／販売取引を発生させることなどを含むいくつかの機能を実施することを可能にする。
【００６９】
[00128]他の実施形態では、外部処理モバイルアクセサリ２３０２は、指紋を走査するように構成される内部インターフェース３４０８ａを備えることができる。プロセッサ２３０６ａは、指紋リーダ入力インターフェース２３０８によって走査された指紋データを処理し、その指紋データを、内部インターフェース２３１０を介して移動デバイス２３５０に送信することができる。移動デバイスのメモリ２３５６に常駐するアプリケーションを処理回路２３５４によって実行し、走査された指紋を識別することができる。一実施形態では、認証するために、走査された指紋が、メモリモジュール２３０４および／または移動デバイスメモリ２３５６に記憶された指紋データに比較される。走査された指紋が記憶された指紋データと合致した場合には、ユーザ認証が成功したものとみなされ、移動デバイス２３５０の機能がロック解除される／ユーザに許可される。
【００７０】
[00129]他の実施形態では、外部処理モバイルアクセサリ２３０２は、食堂施設（ｄｉｎｉｎｇ  ｅｓｔａｂｌｉｓｈｍｅｎｔ）からローカルでブロードキャストされるレストランメニュー情報を無線で受信するように構成される入力インターフェース２３０８ａを備えることができる。プロセッサ２３０６ａは、入力インターフェース２３０８ａによって受信されたデータを処理し、そのメニュー情報データを、内部インターフェース２３１０を介して移動デバイス２３５０に送信することができる。移動デバイスのメモリ２３５６に常駐するアプリケーションを処理回路２３５４によって実行し、移動デバイスの出力インターフェース２３６２にメニューを表示させることができる。一実施形態では、次いで移動デバイス２３５０のユーザは、１つまたは複数の料理または飲料品目を選択する、かつ／または他の要求をすることができ、次いでこの情報を、出力送信機インターフェース２３０８ｂを介して食堂施設の受信機に送信することができる。このようにして、ユーザは、利用可能なメニュー品目を閲覧し、メニューの必要も店員の助けを待つ必要もなしに注文することができる。
シングルピースの下部取付け式ケーシング実施形態
[00130]他の実施形態では、磁気帯支払い処理アクセサリ２４０２、スマートカード支払い処理アクセサリ３３０２、プログラム可能なスマートカードモバイルアクセサリ３４０２、テレビ信号受信機およびバッテリパックモバイルアクセサリ３５０２、バーコードリーダモバイルアクセサリ、指紋リーダモバイルアクセサリ、およびメニュー閲覧および注文モバイルアクセサリを含めて、本明細書に記載のモバイルアクセサリのいずれかを、図１５に示されているものと実質的に同様のケーシング内に収納することができる。たとえば、モバイルアクセサリは、移動デバイスの下側に取り付けられる下部セクション内に収納することができ、上部セクションを含まない。上部セクションを除去することにより、バッテリパックは、サイズがよりコンパクトに、また人間工学的になり、その結果、固定される移動通信デバイスのサイズ、厚さ、および／または形状を著しく増大することも変更することもない。
モジュール型モバイルアクセサリ構成
[00131]様々な実装では、モバイルアクセサリは、複数の異なる機能および／または能力を含むことができる。消費者がモバイルアクセサリを自分の必要に合わせて調整することを可能にするために、モバイルアクセサリは、モバイルアクセサリの物理的なエンクロージャを生み出すように共に結合することができる別々のモジュールまたは構成要素で構成されてもよい。
【００７１】
[00132]図３６〜３７は、モジュール型モバイルアクセサリの様々な例を示し、各モジュールは、異なる機能を提供することができる。したがって、消費者は、所望のモジュールを購入し、それらを組み合わせてモバイルアクセサリのエンクロージャを形成することが可能である。
【００７２】
[00133]図３６は、下部モジュール３６０２および上部モジュール３６０４を含む２ピースモジュール型移動デバイスアクセサリ案３６００を示す。各モジュールは、単独で、または他のモジュールとの組合せで異なる機能を実施する回路および／またはデバイスを組み込むことができる。たとえば、各モジュールは、上述のモバイルアクセサリのいずれか１つを収納することができる。たとえば、下部モジュール３６０２および上部モジュール３６０４は、それぞれバッテリパック、磁気帯支払い処理アクセサリ２４０２、スマートカード支払い処理アクセサリ３３０２、プログラム可能なスマートカードモバイルアクセサリ３４０２、テレビ信号受信機およびバッテリパックモバイルアクセサリ３５０２、バーコードリーダモバイルアクセサリ、指紋リーダモバイルアクセサリ、および／またはメニュー閲覧および注文モバイルアクセサリとすることができる。
【００７３】
[00134]上部モジュール３６０４および下部モジュール３６０４は、容れられている移動デバイスを実質的に囲繞するように接触点３６０６を介して共に接合することができる。たとえば、各接触点３６０６は、対向するモジュール内の対応する空洞と係合するピンを含むことができる。代替の実装では、接触点３６０６は、上部モジュール３６０４と下部モジュール３６０２の間の磁気カプラとすることができる。さらに、モジュール３６０２、３６０４は、２つのモジュール３６０２、３６０４間で電気通信（たとえば、データおよび／または制御信号）および／または電力転送を可能にするように２つのモジュールを共に電気的に結合することができる、対応するコネクタ３６０７、３６０９（たとえば、雄／雌コネクタ）を含むことができる。たとえば、上部モジュール３６０４をバッテリパックとすることができ、下部モジュール３６０２を磁気帯支払い処理アクセサリ２４０２とすることができる。そのような構成では、コネクタ３６０７／３６０９は、下部モジュール３６０２内の磁気帯支払い処理アクセサリに上部モジュール３６０４内のバッテリパックから電力を供給することができる。
【００７４】
[00135]図３７は、下部モジュール３７０２、中間モジュール３７０４、および上部モジュール３７０６を含む３ピースモジュール型移動デバイスアクセサリ案３７００の機能ブロック図を示す。各モジュールは、単独で、または他のモジュールとの組合せで異なる機能を実施する回路および／またはデバイスを組み込むことができる。たとえば、各モジュールは、上述のモバイルアクセサリのいずれか１つを収納することができる。たとえば、下部モジュール３７０２、中間モジュール３７０４、および上部モジュール３７０６は、それぞれバッテリパック、磁気帯支払い処理アクセサリ２４０２、スマートカード支払い処理アクセサリ３３０２、プログラム可能なスマートカードモバイルアクセサリ３４０２、テレビ信号受信機およびバッテリパックモバイルアクセサリ３５０２、バーコードリーダモバイルアクセサリ、指紋リーダモバイルアクセサリ、またはメニュー閲覧および注文モバイルアクセサリとすることができる。
【００７５】
[00136]下部モジュール３７０２、中間モジュール３７０４、および上部モジュール３７０６は、容れられている移動デバイスを実質的に囲繞するように接触点３７０８を介して共に固定することができる。すなわち、接触点３７０８は、モジュール３７０２、３７０４、３７０６間の物理的なコネクタを提供することができる。
【００７６】
[00137]さらに、モジュール３７０２、３７０４、３７０６は、３つのモジュール３７０２、３７０４、３７０６間で電気通信（たとえば、データおよび／または制御信号）および／または電力転送を可能にするようにモジュールを共に電気的に結合することができる、対応するコネクタ３７０７／３７０９および３７１１／３７１３（たとえば、雄／雌コネクタ）を含むことができる。たとえば、上部モジュール３７０６をバーコードスキャナとすることができ、中間モジュール３７０４を指紋リーダとすることができ、下部モジュール３７０２をクレジットカードリーダ（たとえば、磁気帯支払い処理アクセサリ２４０２）とすることができる。そのような構成では、コネクタ３７０７／３７０９および３７１１／３７１３は、モジュール３７０２、モジュール３７０４、および／またはモジュール３７０６の間の、またおそらくは移動デバイスアクセサリ３７００が結合することができる移動デバイスとのデータおよび／または制御信号通信を実現することができる。
【００７７】
[00138]上記のモジュール型案は、複数のモバイルアクセサリを１つ移動デバイスで同時に使用することを可能にする。さらに、単に下部セクション２５０２を固定し、囲繞される移動デバイスを保護する上部セクション２５０４を有するのではなく、図３６および図３７に示されているモジュール型案の上部モジュール、中間モジュール、および／または下部モジュールは、一部のモジュールが相互交換可能であるため、複数の異なる組合せの機能または能力を移動デバイスに追加するように働くことができる。たとえば、ユーザは、バッテリパックを備える２つのモジュールと、テレビ受信機を備える第３のモジュールとを有することを選択することができる。あるいは、ユーザは、バーコードスキャナを備える第１のモジュールと、クレジットカードリーダを備える第２のモジュールと、プログラム可能なスマートカードデバイスを備える第３のモジュールとを選択することができる。
データ管理モバイルアクセサリ
[00139]図３８は、データ管理モバイルアクセサリ３８０２を備える移動デバイスがサーバ３８２０上に記憶されたデータと同期しそれを更新することを可能にするデータ管理システム３８００の機能ブロック図を示す。たとえば、サーバ３８２０は、１つまたは複数の配送センタまたは倉庫について在庫／製品情報を記憶することができる。この在庫／製品情報は、それだけには限らないが様々な製品のタイプ、数量、画像、価格、最小管理単位（ＳＫＵ）識別子、可用性、出荷情報、および／または原産地を含むことができる。サーバ３８２０は、１つまたは複数の配送センタ内の製品の移動、たとえば出入りを体系的に追跡する。
【００７８】
[00140]また、サーバ３８２０を、ウェブサイト３８３０と同期させることができる。ウェブサイト３８３０は、ウェブサイト３８３０にアクセスする誰に対してもサーバ３８２０に関連付けられた製品および製品情報を表示することができる。また、ウェブサイト３８３０は、製品の買い注文を処理するように構成されてもよく、サーバ３８２０に記憶された在庫／製品情報を更新することが可能である。
【００７９】
[00141]図３８および図３９を参照すると、データ管理モバイルアクセサリ３８０２および移動デバイス３８５０は、サーバ３８２０と同期しサーバ３８２０に通信することが可能になるハードウェアおよびソフトウェアを含む。たとえば、特定のデータ管理システム３８００のためのユニークなデータベース管理アプリケーションを、データ管理モバイルアクセサリのメモリ３８０４上で使用可能なＳＤＫ３８０６を使用して設計および作成することができる。データベース管理アプリケーションは、内部インターフェース３８１０を通して移動デバイス３８５０上にロードし実行することができる。データベース管理アプリケーションは、移動デバイス３８５０のユーザがデータ管理モバイルアクセサリ３８０２を使用してサーバ３８２０に接続し、それと同期することを可能にする。たとえば、データ管理モバイルアクセサリ３８０２は、サーバ３８２０内に記憶されている在庫／製品情報に加える必要がある任意の変更を更新するためにサーバ３８２０に無線で接続する、または他の形でサーバ３８２０の内容にアクセスすることが可能になる送信機および受信機回路３８０８（Ｔｘ／Ｒｘ回路）を含むことができる。
【００８０】
[00142]一実施形態では、データベース管理アプリケーションは、移動デバイス３８５０のユーザがウェブサイト３８３０を介してサーバ３８２０に接続し、それと同期することを可能にする。移動デバイス３８５０は、移動デバイス３８５０に関連付けられた無線ネットワークサービスプロバイダを使用してウェブサイト３８３０に接続することができる。次いで、移動デバイス３８５０のユーザは、サーバ３８２０内に記憶されている在庫／製品情報に加える必要がある任意の変更を更新する、または他の形でサーバ３８２０の内容にアクセスすることができる。
【００８１】
[00143]他の実施形態では、データ管理モバイルアクセサリ３８０２は、プロセッサ３８１８、バーコードスキャナ３８１２、磁気帯／スマートカードリーダインターフェース３８１４、およびバス３８１６をさらに備えることができる。バス３８１６は、内部インターフェース３８１０と、プロセッサ３８１８と、Ｔｘ／Ｒｘ回路３８０８と、メモリ３８０４と、バーコードスキャナ３８１２と、磁気帯／スマートカードリーダインターフェース３８１４との間の通信ラインとして働く。バーコードスキャナ３８１２は、データ管理モバイルアクセサリ３８０２のユーザが物品／製品を走査し、サーバ３８２０内に記憶された在庫／製品情報を更新することを可能にする。たとえば、物品を走査することにより、その特定の製品についてサーバ３８２０内に記憶された数量値が増分されてもよい。磁気帯／スマートカードリーダインターフェース３８１４は、データ管理モバイルアクセサリ３８０２のユーザが、「支払い処理モバイルアクセサリ」の項で上述したプロセスの１つに従って、販売取引について消費者から支払いカード情報を受け入れることを可能にする。販売が行われた場合、データ管理モバイルアクセサリ３８０２は、たとえば売却されたその特定の製品についてサーバ３８２０内に記憶された数量値を減分することによって、サーバ３８２０内に記憶された在庫／製品情報を更新することができる。
スピーカおよびマイクロフォン
[00144]他の特徴は、バッテリパックまたはホルスタ（図１〜２２に図示）の一部として含められる１つまたは複数のスピーカを提供することができる。たとえば、目立たないスピーカを、バッテリパックのバックプレーン内に収納することができ、それによりバッテリパックの後部または側部から音声を発することができる。移動デバイスは、バッテリパックに挿入および結合されたとき、スピーカを移動デバイスに電気的に接続するインターフェースに結合される。移動デバイスは、バッテリパックとのインターフェースを介してスピーカにオーディオまたは音声信号を送ることができる。これにより、ユーザは、ヘッドホンを必要とすることなしに移動デバイスに記憶されたオーディオを聞くことができる。
【００８２】
[00145]同様に、他の特徴は、バッテリパック（図１〜２２に図示）の一部として含められる１つまたは複数のマイクロフォンを提供することができる。１つまたは複数のマイクロフォンを、ユーザからの音声を取り入れることができるようにバッテリパック（たとえば、バックプレーン）内に収納することができる。マイクロフォンは、バッテリパックに結合することができる移動デバイスに、取り入れられたオーディオ信号を送ることを可能にするインターフェースに電気的に結合されてもよい。
【００８３】
[00146]さらに他の特徴によれば、移動デバイスは、バッテリパック１７０２に結合されたとき、１つまたは複数のアプリケーションをプロセッサ１７０６上で実行させることができる。これらのアプリケーションは、移動デバイスがバッテリパック１７０２から除去され、または切り離された場合でさえ、動作または実行し続けることができる。たとえば、バッテリパックは、引き続きデータを収集し（たとえば、バッテリパックが結合される患者について病状を監視し）、収集されたデータまたは警報を移動デバイスに無線で送信することができる。これは、プロセッサ１７０６が電池１４０４によって給電を受けることができ、移動デバイスがバッテリパックに結合されているか否かにかかわらず動作するように構成することができるので可能である。
一体型ディスプレイ
[00147]バッテリパック１７０２のいくつかの実施形態では、バッテリパック１７０２は、一体型ディスプレイまたは画面をも含むことができる。たとえば、一体型ディスプレイは、バッテリパックのバックプレーンの外面上にあってもよい。あるいは、ディスプレイ１７１０は、バッテリパックのハウジング内から滑出してもよい。この一体型ディスプレイ１７２０は、追加の情報またはデータをユーザに対して表示することを可能にすることができる。この追加の画面は、移動デバイスが画像またはビデオを追加のディスプレイ画面に送ることを可能にするように、移動デバイスに（インターフェースを介して）電気的に結合されてもよい。
【００８４】
[00148]別の例では、バックプレーンの後部が、ホルスタまたはバッテリパック内に取り付けられた移動デバイスを電気的に結合した点字（Ｂｒａｉｌｌｅ）入力および／または出力インターフェースを収納することができる。
【００８５】
[00149]さらに他の実施形態では、バックプレーンの後部は、移動デバイスへの入力として働くキーパッドを提供することができる。
[00150]他の特徴によれば、バッテリパックおよび／またはホルスタは、外部インターフェース（たとえば、Ｂｌｕｅｔｏｏｔｈ無線インターフェース、ＵＳＢポート、赤外線ポートなど）を提供することができ、バッテリパックおよび／またはホルスタ内に取り付けられた移動デバイスがその外部インターフェースを介して通信することを可能にすることができる。したがって、外部インターフェースは、移動デバイスの内部システムによって提供またはサポートされるものと異なる無線インターフェースを提供することができる。
【００８６】
[00151]図１〜３９に示されている特徴の１つまたは複数は、単一の構成要素に再構成する、かつ／または組み合わせることも、いくつかの構成要素で実施することもできる。本発明から逸脱することなしに、追加の構成要素をも追加することができる。
【００８７】
[00152]添付の図面では、いくつかの例示的な実施形態について記載され、示されているが、そのような実施形態は、広い本発明を例示するものにすぎず、それを制限するものではないこと、また当業者には様々な他の修正形態が思い付く可能性があるので、本発明は、示され記載されている特定の構造および構成に限定されないことを理解されたい。
【図１】
2013530628.tif 000003
【図２】
2013530628.tif 000004
【図３】
2013530628.tif 000005
【図４】
2013530628.tif 000006
【図５】
2013530628.tif 000007
【図６】
2013530628.tif 000008
【図７】
2013530628.tif 000009
【図８】
2013530628.tif 000010
【図９】
2013530628.tif 000011
【図１０】
2013530628.tif 000012
【図１１】
2013530628.tif 000013
【図１２】
2013530628.tif 000014
【図１３】
2013530628.tif 000015
【図１４】
2013530628.tif 000016
【図１５】
2013530628.tif 000017
【図１６】
2013530628.tif 000018
【図１７】
2013530628.tif 000019
【図１８】
2013530628.tif 000020
【図１９】
2013530628.tif 000021
【図２０】
2013530628.tif 000022
【図２１】
2013530628.tif 000023
【図２２】
2013530628.tif 000024
【図２３】
2013530628.tif 000025
【図２４】
2013530628.tif 000026
【図２５】
2013530628.tif 000027
【図２６】
2013530628.tif 000028
【図２７】
2013530628.tif 000029
【図２８】
2013530628.tif 000030
【図２９Ａ】
2013530628.tif 000031
【図２９Ｂ】
2013530628.tif 000032
【図３０】
2013530628.tif 000033
【図３１】
2013530628.tif 000034
【図３２Ａ】
2013530628.tif 000035
【図３２Ｂ】
2013530628.tif 000036
【図３２Ｃ】
2013530628.tif 000037
【図３３】
2013530628.tif 000038
【図３４】
2013530628.tif 000039
【図３５】
2013530628.tif 000040
【図３６】
2013530628.tif 000041
【図３７】
2013530628.tif 000042
【図３８】
2013530628.tif 000043
【図３９】
2013530628.tif 000044
【国際調査報告】
2013530628.tif 000045